(57)【要約】【課題】かごにおけるスペースの確保が容易でありながら、かごが停止したままで、かご室内で物資の供給を受けることができる、エレベータおよびエレベータのかごへの物資供給方法の提供。【解決手段】エレベータは、昇降路５内を昇降可能に設けられたかごであって、互いに連通可能なかご室７およびトランク室９を含むかご１と、かごを昇降させる第１巻上機３とを備え、かごは、かご室を構成するかご本体１３と、トランク室を構成し且つかご本体の側方においてかご本体と着脱可能に設けられたトランクルーム構成体１５とを備え、かご本体には、かご本体に対してトランクルーム構成体を昇降させる第２巻上機１７が設けられている。【選択図】図１
2017202924.tif 000002
【特許請求の範囲】
【請求項１】
昇降路内を昇降可能に設けられたかごであって、互いに連通可能なかご室およびトランク室を含む前記かごと、
前記かごを昇降させる第１巻上機と
を備えたエレベータであって、
前記かごは、前記かご室を構成するかご本体と、前記トランク室を構成し且つ前記かご本体の側方において該かご本体と着脱可能に設けられたトランクルーム構成体とを備えており、
前記かご本体には、該かご本体に対して前記トランクルーム構成体を昇降させる第２巻上機が設けられている、
エレベータ。
【請求項２】
前記トランクルーム構成体には、トランク室と連通する第１出し入れ口が設けられており、
前記昇降路には、前記トランクルーム構成体が前記かご本体と分離して下降した位置にあるときに、前記第１出し入れ口と対面する第２出し入れ口が設けられている、
請求項１のエレベータ。
【請求項３】
前記昇降路には、水平方向に対して斜めに延びるコンベヤが設けられており、
前記コンベヤの下端は、前記トランクルーム構成体の下降位置に達しており、
前記コンベヤの上端は、前記第１出し入れ口と前記第２出し入れ口とが対面する前記トランクルーム構成体の位置に達している、
請求項２のエレベータ。
【請求項４】
前記トランクルーム構成体には、トランク室と連通する第１出し入れ口が設けられており、
前記トランクルーム構成体は、前記第１出し入れ口を開閉するシャッタを備えており、
前記シャッタは、上下にスライド可能である共に、第１引っ掛け部を備えており、
前記昇降路には、ストック室を構成するストックルーム構成体が設けられており、
前記ストックルーム構成体は、供給口と、前記供給口に向けて傾斜する供給斜面と、前記供給口を開閉する回転式の扉とを備えており、
前記扉は、前記供給口の下方に回転軸を備えており、
前記ストックルーム構成体は、前記第１引っ掛け部と引っ掛かる第２引っ掛け部を備えており、
前記ストックルーム構成体は、前記トランクルーム構成体の下降経路から逸れた位置であって、前記トランクルーム構成体が下降したとき前記第１引っ掛け部と前記第２引っ掛け部とが接触する位置、に配置されている、
請求項１のエレベータ。
【請求項５】
前記かごは、前記トランクルーム構成体の上昇時、前記トランクルーム構成体を、前記トランク室が前記かご室に連通する位置へと案内する、ガイド部材を備えている、
請求項１〜４の何れか一項のエレベータ。
【請求項６】
昇降路内を昇降可能に設けられたかごであって、互いに連通可能なかご室およびトランク室を含む前記かごと、
前記かごを昇降させる第１巻上機と
を備えたエレベータのかごへの物資供給方法であって、
前記かごは、前記かご室を構成するかご本体と、前記トランク室を構成し且つ前記かご本体の側方において該かご本体と着脱可能に設けられたトランクルーム構成体とを備えており、
前記かご本体には、該かご本体に対して前記トランクルーム構成体を昇降させる第２巻上機が設けられており、
前記第２巻上機によって、前記トランクルーム構成体のみを、前記かご本体に対して下降させ、
前記トランク室に物資を入れ、
前記第２巻上機によって、前記物資を収容した前記トランクルーム構成体を、前記かご本体に向けて上昇させ、
前記かご室および前記トランク室を連通させることで、前記かご室から、前記トランク室の前記物資を入手する、
エレベータのかごへの物資供給方法。
【発明の詳細な説明】
【技術分野】
【０００１】
本発明は、エレベータおよびエレベータのかごへの物資供給方法に関するものである。
【背景技術】
【０００２】
災害発生や故障が原因となって、エレベータの運転が停止することがあり、このとき、利用者がエレベータのかごのなかに閉じ込められてしまうことがある。このような事態において、利用者の救出までに長時間が経過すると、利用者が脱水状態を起こすことがあり、このような事態を防止できることが望ましい。
【０００３】
例えば特許文献１には、災害の発生が検知されたとき、かごを所定の停止階に停止させ、利用者に物資を供給するためのエレベータが開示されている。具体的には、かごの床下に専用の物資収用室を予め設けておき、その物資収用室に物資を入れた状態で、エレベータの運転を行う。そして、災害発生時には、かごの床下の専用の物資収用室へのアクセスを可能とし、取り残された利用者がかご室内で物資を手に入れることができるように企図されている。
【先行技術文献】
【特許文献】
【０００４】
【特許文献１】特開２０１１−９８７８８号公報
【発明の概要】
【発明が解決しようとする課題】
【０００５】
上述した特許文献１では、災害発生時、取り残された利用者がかご室内で物資を手に入れることができる可能性はあるものの、かごの床下に専用の収納室を設けておく必要があり、その分、床下スペースを物資の保管のためだけに占拠され、また、かごの条件によっては、かごの床下スペースに対し、通常運転に必要な構造や機器が既に決まっており、新たに専用の収納室を設けるのが困難な場合もある。
【０００６】
本発明は、上記に鑑みてなされたものであり、かごにおけるスペースの確保が容易でありながら、かごが停止したままで、かご室内で物資の供給を受けることができる、エレベータおよびエレベータのかごへの物資供給方法を提供することを目的とする。
【課題を解決するための手段】
【０００７】
上述した目的を達成するため、本発明は、昇降路内を昇降可能に設けられたかごであって、互いに連通可能なかご室およびトランク室を含む前記かごと、前記かごを昇降させる第１巻上機とを備えたエレベータであって、前記かごは、前記かご室を構成するかご本体と、前記トランク室を構成し且つ前記かご本体の側方において該かご本体と着脱可能に設けられたトランクルーム構成体とを備えており、前記かご本体には、該かご本体に対して前記トランクルーム構成体を昇降させる第２巻上機が設けられている。
さらに、同目的を達成するための本発明は、昇降路内を昇降可能に設けられたかごであって、互いに連通可能なかご室およびトランク室を含む前記かごと、前記かごを昇降させる第１巻上機とを備えたエレベータのかごへの物資供給方法であって、前記かごは、前記かご室を構成するかご本体と、前記トランク室を構成し且つ前記かご本体の側方において該かご本体と着脱可能に設けられたトランクルーム構成体とを備えており、前記かご本体には、該かご本体に対して前記トランクルーム構成体を昇降させる第２巻上機が設けられており、前記第２巻上機によって、前記ストックルーム構成体のみを、前記かご本体に対して下降させ、前記トランク室に物資を入れ、前記第２巻上機によって、前記物資を収容した前記ストックルーム構成体を、前記かご本体に向けて上昇させ、前記かご室および前記トランク室を連通させることで、前記かご室から、前記トランク室の前記物資を入手する。
【発明の効果】
【０００８】
本発明によれば、かごにおけるスペースの確保が容易でありながら、かごが停止したままで、かご室内で物資の供給を受けることができる。
【図面の簡単な説明】
【０００９】
【図１】本発明の実施の形態１のエレベータを示す図である。
【図２】本発明の実施の形態２の物資の受け取り態様を説明する図である。
【発明を実施するための形態】
【００１０】
以下、本発明の実施の形態について添付図面に基づいて説明する。なお、図中、同一符号は同一又は対応部分を示すものとする。
【００１１】
実施の形態１．
図１は、本発明の実施の形態１のエレベータを示す図である。エレベータは、かご１と、第１巻上機３とを備える。かご１は、昇降路５内を昇降可能に設けられている。また、かご１は、互いに連通可能なかご室７およびトランク室９を含んでいる。第１巻上機３は、かご１を吊り下げたロープ１１を駆動することで、かご１を昇降させる。
【００１２】
かご１は、かご室７を構成するかご本体１３と、トランク室９を構成するトランクルーム構成体１５とを備える。トランクルーム構成体１５は、かご本体１３の側方においてかご本体１３と着脱可能に設けられている。
【００１３】
通常、トランク室９は、かご室７の乗場側と反対側に位置している。すなわち、一例であるが、ストレッチャーをかご１に入れる場合、通常のかご室７だけでは、奥行きスペースが十分でない場合があり、かご室７とトランク室９とを連通することで、奥行きスペースの拡大を図ることができる。
【００１４】
このようなニーズから、現状の既存のエレベータのかごには、かご室の乗場側と反対側に既にトランクルームのスペースが想定・確保されていることが多く、本実施の形態１では、このような既存のトランクルーム用のスペースに、かご本体１３と分離可能なトランクルーム構成体１５を配置している。このため、トランクルーム構成体１５は、後述する物資の受け取りのスペースの提供以外に、これまで通り、かご室７とトランク室９とを連通することで、奥行きスペースを拡大し、ストレッチャーをかご１に入れるためのスペースの提供も行う。
【００１５】
かご本体１３には、第２巻上機１７が設けられている。例えば、第２巻上機１７は、かご本体１３の上部に設置することができ、当該かご本体１３に対して、トランクルーム構成体１５を昇降させる。第２巻上機１７は、トランクルーム構成体１５を吊り下げたロープ１９を駆動することで、トランクルーム構成体１５を昇降させる。
【００１６】
トランクルーム構成体１５には、第１出し入れ口２１が設けられている。第１出し入れ口２１は、トランクルーム構成体１５の内部のトランク室９と、トランクルーム構成体１５の外部とを連通する。
【００１７】
昇降路５には、水平方向に対して斜めに延びるコンベヤ２３および第２出し入れ口２５が設けられている。コンベヤ２３の下端２３ａは、トランクルーム構成体１５の単純な下降位置に達しており、すなわち、分離直後のトランクルーム構成体１５の鉛直真下の位置に達している。
【００１８】
また、コンベヤ２３の上端２３ｂは、第１出し入れ口２１と第２出し入れ口２５とが対面するトランクルーム構成体１５の位置に達している。本発明としては、第２出し入れ口２３は、トランクルーム構成体１５がかご本体１３と分離して下降したとき、第１出し入れ口２１と対面する位置に設けられていればよい。その一例として、本実施の形態１では、第２出し入れ口２５は、トランクルーム構成体１５がコンベヤ２３の上端２３ｂに位置するときに、第１出し入れ口２１と対面するように設けられている。すなわち、第２出し入れ口２５と、コンベヤ２３の上端２３ｂとは、上記の関係を満たすように設けられている。
【００１９】
また、相対的な関係において、コンベヤ２３の上端２３ｂは、コンベヤ２３の下端２３ａよりも高い位置にあり、例えば、昇降路が設けられた構造物の１階の乗場の高さにあると好適である。
【００２０】
かご１には、ガイド部材２７が設けられている。ガイド部材２７は、トランクルーム構成体１５の上昇時、トランク室が前記かご室に連通する位置へとトランクルーム構成体１５を案内する。トランク室９を直方体状のスペースとし、その前後左右の中心をトランク室中心ＴＣとした場合、ガイド部材２７の上部は、ガイド部材２７の下部よりも、水平方向の距離でみてトランク室中心ＴＣに近づくように傾斜している。例えば、ガイド部材２７が筒状の部材であるとした場合、ガイド部材２７は、ガイド部材の下端よりもガイド部材の上端の方が窄まった形状を備えている。
【００２１】
次に、以上に構成されたエレベータにおいて実施される、本実施の形態１のエレベータのかごへの物資供給方法について説明する。まず、災害あるいは故障といった何らかの要因で、利用者のかご内への閉じ込めが生じた場合、まず、トランクルーム構成体１５がかご本体１３から分離され、第２巻上機１７によって、矢印Ｄ１に示されるように、トランクルーム構成体１１５のみが、かご本体１３に対して下降される。かご本体１３は、コンベヤ２３の下端２３ａの上に降ろされる。続いて、コンベヤ２３の搬送作用によって、矢印Ｄ２に示されるようにトランクルーム構成体１５は、コンベヤ２３の上端２３ｂまで運ばれる。
【００２２】
コンベヤ２３の上端２３ｂにおいてトランクルーム構成体１５の第１出し入れ口２１と第２出し入れ口２５とが対面しており、物資供給者は、第１出し入れ口２１および第２出し入れ口２５の双方を開放し、第１出し入れ口２１および第２出し入れ口２５を介して物資をトランクルーム構成体１５の中に入れる。
【００２３】
その後、第１出し入れ口２１が閉じられ、トランクルーム構成体１５は、コンベヤ２３の搬送作用によって、矢印Ｕ１に示されるように上端２３ｂから下端２３ａに移動される。さらに、下端２３ａに達したトランクルーム構成体１５は、第２巻上機１７の作用によって、矢印Ｕ２に示されるように上昇され、ガイド部材２７によって案内され、かご本体１３の側方の定位置に戻される。この後、かご室７に残されている利用者は、かご室７とトランク室９とを連通させ、トランク室９内に収容されていた物資を受け取る。
【００２４】
なお、上述したトランクルーム構成体１５の位置検出や、それに関する第２巻上機１７やコンベヤ２３の動作制御は、公知のセンシング技術や制御技術によって適宜実施されるものとする。また、矢印Ｄ１および矢印Ｄ２の工程は、閉じ込めが検出されたことを開始条件に自動的に実施されてもよく、あるいは、第２出し入れ口２５に待機した物資供給者の操作によって実施されてもよい。一方、矢印Ｕ１および矢印Ｕ２の工程は、物資をトランク室９内に収め終わったときに、物資供給者の操作によって開始されるものとする。
【００２５】
以上に説明した本実施の形態１によれば、例えばかご床の下方スペースなど、新たな専用スペースの確保を強いることなく、既存のトランクルームスペースを活用して、物資の提供を行うことができる。すなわち、かごにおけるスペースの確保が容易でありながら、かごが停止したままで、かご室内で物資の供給を受けることができる。また、物資供給者は、ピットに入ることなく、物資の供給またはその準備を行うことができる。
【００２６】
実施の形態２．
次に、図２を用いて本発明の実施の形態２について説明する。本実施の形態２のエレベータは、以下に説明する内容を除いては、上述した実施の形態１と同様であるものとする。
【００２７】
図２は、本発明の実施の形態２の物資の受け取り態様を説明する図である。本実施の形態２では、トランクルーム構成体１１５は、第１出し入れ口２１を開閉するシャッタ２３１を備えている。シャッタ２３１は、上下にスライド可能である共に、第１引っ掛け部２３１ａを備えている。
【００２８】
昇降路５には、ストック室２３３を構成するストックルーム構成体２３５が設けられている。ストックルーム構成体２３５は、供給口２３７と、その供給口２３７に向けて傾斜する供給斜面２３９と、供給口２３７を開閉する回転式の扉２４１とを備えている。扉２４１は、供給口２３７の下方に回転軸２４３を備え、扉２４１の上端が最も大きく弧状に回転することで、供給口２３７を開閉する。また、ストックルーム構成体２３５は、供給口２３７の上方の部分に、第１引っ掛け部２３１ａと引っ掛かる第２引っ掛け部２４５を備えている。
【００２９】
ストックルーム構成体２３５は、トランクルーム構成体１１５の下降経路から逸れた位置であって、且つ、トランクルーム構成体１１５が下降したとき第１引っ掛け部２３１ａと第２引っ掛け部２４５とが接触する位置、に配置されている。
【００３０】
次に、上述した本実施の形態２に関し、エレベータのかごへの物資供給方法について説明する。上述した実施の形態１と同様、トランクルーム構成体１１５がかご本体１３から分離され、第２巻上機１７によって、矢印Ｄ１に示されるように、トランクルーム構成体１１５のみが、かご本体１３に対して下降される。
【００３１】
トランクルーム構成体１１５の下降が進むと、やがて、第１引っ掛け部２３１ａが第２引っ掛け部２４５に当接する。当接後、さらに、トランクルーム構成体１１５が下降すると、シャッタ２３１は、第１引っ掛け部２３１ａと第２引っ掛け部２４５との当接により下降が阻止されていることから、相対的な動作として、矢印Ｓに示されるように、シャッタ２３１が押し上げられて、トランクルーム構成体１１５の第１出し入れ口２１が開放される。また、第１出し入れ口２１が供給口２３７と概ね向き合ったときに、矢印Ｒに示されるように、扉２４１がトランクルーム構成体１１５のトランク室９内に倒れるように回転し、すなわち、供給口２３７が開放される。これによって、ストック室２３３内の物資２５１は、供給斜面２３９の上、および、扉２４１の閉じた時のストック室内側の面の上を滑って、矢印Ｔに示されるように、自重でトランク室９内に供給される。
【００３２】
その後、トランクルーム構成体１１５は、第２巻上機１７の作用によって、矢印Ｕ２に示されるように上昇され、ガイド部材２７によって案内され、かご本体１３の側方の定位置に戻される。この後、かご室７に残されている利用者は、かご室７とトランク室９とを連通させ、トランク室９内に収容されていた物資を受け取る。
【００３３】
なお、一例であるが、シャッタ２３１の閉止動作は、矢印Ｕ２の上昇に伴う第１引っ掛け部２３１ａと第２引っ掛け部２４５との当接解消に伴い、シャッタ２３１の自重によるものであってもよいし、あるいは、ばねによる弾性力によるものであってもよく、あるいは、公知の機構を用いるものでもよい。また、扉２４１の開閉のための回転も、公知のセンシング技術や制御技術によって適宜実施されるものとする。
【００３４】
以上に説明した本実施の形態２によっても、上記実施の形態１と同様、かごにおけるスペースの確保が容易でありながら、かごが停止したままで、かご室内で物資の供給を受けることができる。また、物資供給者は、ピットに入ることなく、物資の供給またはその準備を行うことができる。さらに、本実施の形態２では、予めストック室内に物資を入れておけば、そのストック室からトランク室までは、物資を自動的に供給することができ、無人でトランク室に物資を供給することも可能である。
【００３５】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００３６】
１  かご、３  第１巻上機、５  昇降路、７  かご室、９  トランク室、１３  かご本体、１５、１１５  トランクルーム構成体、１７  第２巻上機、２１  第１出し入れ口、２５  第２出し入れ口、２３１  シャッタ、２３１ａ  第１引っ掛け部、２３３  ストック室、２３５  ストックルーム構成体、２３７  供給口、２３９  供給斜面、２４１  扉、２４３  回転軸、２４５  第２引っ掛け部２４５。
【図１】
2017202924.tif 000003
【図２】
2017202924.tif 000004